(57)【特許請求の範囲】
【請求項１】
受信された直接スペクトラム拡散信号と拡散符号との各遅延時間毎の相関電力値を求めて現在（ｔn）の瞬時遅延プロファイルを生成するステップと、
この現在の瞬時遅延プロファイルの各相関電力値に係数α（０＜α＜１）を乗算し、過去（ｔ1〜ｔn-1）の全履歴である累積的遅延プロファイルの各相関電力値に係数（１−α）を乗算し、これら乗算結果を各遅延時間毎に加算して第１の新たな累積的遅延プロファイルを生成するステップと、
複数のパスのそれぞれが割り当てられる複数のＲＡＫＥフィンガで各パスにおける現在（ｔm）の瞬時相関電力値を求めるステップと、
前記求められた各パスの現在の瞬時相関電力値に係数β（０＜β≦１）を乗算し、各パスの過去（ｔ1〜ｔm-1）の全履歴である累積的相関電力値に係数（１−β）を乗算し、これら乗算結果を各パス毎に加算して各パスの新たな累積的相関電力値を算出するステップと、
前記各パスの新たな累積的相関電力値を各パス毎に前記第１の新たな累積的遅延プロファイルに加算して、第２の新たな累積的遅延プロファイルを生成するステップと、
前記第２の新たな累積的遅延プロファイルに基づいてＲＡＫＥ合成すべき複数のパスを決定するステップと
を備えたことを特徴とする直接スペクトラム拡散通信のパスサーチ方法。
【請求項２】
受信された直接スペクトラム拡散信号と拡散符号との各遅延時間毎の相関電力値を求めて現在（ｔn）の瞬時遅延プロファイルを生成するステップと、
この現在の瞬時遅延プロファイルの各相関電力値に係数α（０＜α＜１）を乗算し、過去（ｔ1〜ｔn-1）の全履歴である累積的遅延プロファイルの各相関電力値に係数（１−α）を乗算し、これら乗算結果を各遅延時間毎に加算して第１の新たな累積的遅延プロファイルを生成するステップと、
複数のパスのそれぞれが割り当てられる複数のＲＡＫＥフィンガで各パスにおける現在（ｔm）の瞬時相関電力値を求めるステップと、
前記求められた各パスの現在の瞬時相関電力値に係数β（０＜β≦１）を乗算し、各パスの過去（ｔ1〜ｔm-1）の全履歴である累積的相関電力値に係数（１−β）を乗算し、これら乗算結果を各パス毎に加算して各パスの新たな累積的相関電力値を算出するステップと、
前記各パスの新たな累積的相関電力値に係数γ（γ＞１）を乗算した結果を各パス毎に前記第１の新たな累積的遅延プロファイルに加算して、第２の新たな累積的遅延プロファイルを生成するステップと、
前記第２の新たな累積的遅延プロファイルに基づいてＲＡＫＥ合成すべき複数のパスを決定するステップと
を備えたことを特徴とする直接スペクトラム拡散通信のパスサーチ方法。
【請求項３】
前記算出された新たな各パスの累積的相関電力値が所定の閾値を満足するかどうかを監視するステップと、
このステップで前記累積的相関電力値が所定の閾値を満足しないパスについては、前記ＲＡＫＥフィンガからそのパスの割当を外すステップと
を更に含むことを特徴とする請求項１又は２記載の直接スペクトラム拡散通信のパスサーチ方法。
【請求項４】
受信された直接スペクトラム拡散信号と拡散符号との各遅延時間毎の相関電力値を求めて現在（ｔn）の瞬時遅延プロファイルを生成するステップと、
この現在の瞬時遅延プロファイルの各相関電力値を干渉電力値で割った信号電力対干渉電力比を算出するステップと、
前記現在の瞬時遅延プロファイルの各信号電力対干渉電力比に係数α（０＜α＜１）を乗算し、過去（ｔ1〜ｔn-1）の全履歴である累積的遅延プロファイルの各信号電力対干渉電力比に係数（１−α）を乗算し、これら乗算結果を各遅延時間毎に加算して第１の新たな累積的遅延プロファイルを生成するステップと、
複数のパスのそれぞれが割り当てられる複数のＲＡＫＥフィンガで各パスにおける現在（ｔm）の瞬時相関電力値と瞬時干渉電力値とを求めるステップと、
前記求められた各パスの現在の瞬時相関電力値を瞬時干渉電力値で割った各パスの瞬時信号電力対干渉電力比を算出するステップと、
前記算出された各パスの現在の瞬時信号電力対干渉電力比に係数β（０＜β≦１）を乗算し、各パスの過去（ｔ1〜ｔm-1）の全履歴である累積的信号電力対干渉電力比に係数（１−β）を乗算し、これら乗算結果を各パス毎に加算して各パスの新たな累積的信号電力対干渉電力比を算出するステップと、
前記各パスの新たな累積的信号電力対干渉電力比を各パス毎に前記第１の累積的遅延プロファイルに加算して、第２の新たな累積的遅延プロファイルを生成するステップと、
前記第２の新たな累積的遅延プロファイルに基づいてＲＡＫＥ合成すべき複数のパスを決定するステップと
を備えたことを特徴とする直接スペクトラム拡散通信のパスサーチ方法。
【請求項５】
受信された直接スペクトラム拡散信号と拡散符号との各遅延時間毎の相関電力値を求めて現在（ｔn）の瞬時遅延プロファイルを生成するステップと、
この現在の瞬時遅延プロファイルの各相関電力値を干渉電力値で割った信号電力対干渉電力比を算出するステップと、
前記現在の瞬時遅延プロファイルの各信号電力対干渉電力比に係数α（０＜α＜１）を乗算し、過去（ｔ1〜ｔn-1）の全履歴である累積的遅延プロファイルの各信号電力対干渉電力比に係数（１−α）を乗算し、これら乗算結果を各遅延時間毎に加算して第１の新たな累積的遅延プロファイルを生成するステップと、
複数のパスのそれぞれが割り当てられる複数のＲＡＫＥフィンガで各パスにおける現在（ｔm）の瞬時相関電力値と瞬時干渉電力値とを求めるステップと、
前記求められた各パスの現在の瞬時相関電力値を瞬時干渉電力値で割った各パスの瞬時信号電力対干渉電力比を算出するステップと、前記算出された各パスの現在の瞬時信号電力対干渉電力比に係数β（０＜β≦１）を乗算し、各パスの過去（ｔ1〜ｔm-1）の全履歴である累積的信号電力対干渉電力比に係数（１−β）を乗算し、これら乗算結果を各パス毎に加算して各パスの新たな累積的信号電力対干渉電力比を算出するステップと、
前記各パスの新たな累積的信号電力対干渉電力比に係数γ（γ＞１）を乗算した結果を各パス毎に前記第１の累積的遅延プロファイルに加算して、第２の新たな累積的遅延プロファイルを生成するステップと、
前記第２の新たな累積的遅延プロファイルに基づいてＲＡＫＥ合成すべき複数のパスを決定するステップと
を備えたことを特徴とする直接スペクトラム拡散通信のパスサーチ方法。
【請求項６】
前記算出された新たな各パスの累積的信号電力対干渉電力比が所定の閾値を満足するかどうかを監視するステップと、
このステップで前記累積的信号電力対干渉電力比が所定の閾値を満足しないパスについては、前記ＲＡＫＥフィンガからそのパスの割当を外すステップと
を更に含むことを特徴とする請求項４又は５記載の直接スペクトラム拡散通信のパスサーチ方法。
【請求項７】
受信された直接スペクトラム拡散信号と拡散符号との各遅延時間毎の相関電力値を求めて現在（ｔn）の瞬時遅延プロファイルを生成するパスサーチ手段と、
過去（ｔ1〜ｔn-1）の全履歴である累積的遅延プロファイルを記憶する第１の記憶領域を有するメモリと、
前記パスサーチ手段で生成された現在の瞬時遅延プロファイルの各相関電力値に係数α（０＜α＜１）を乗算し、前記メモリの第１の記憶領域に記憶されている過去の全履歴である累積的遅延プロファイルの各相関電力値に係数（１−α）を乗算し、これら乗算結果を各遅延時間毎に加算して新たな累積的遅延プロファイルを生成する累積的遅延プロファイル生成手段と、
前記生成された新たな累積的遅延プロファイルを前記過去の全履歴である累積的遅延プロファイルに代えて前記メモリの第１の記憶領域に格納して前記累積的遅延プロファイルを更新する累積的遅延プロファイル更新手段と、
前記メモリの第１の記憶領域に格納された新たな累積的遅延プロファイルに基づいてＲＡＫＥ合成すべき複数のパスを決定するパス決定手段と、
このパス決定手段で決定された複数のパスのそれぞれが割り当てられて受信された直接スペクトラム拡散信号と拡散符号との各パスにおける相関電力値を算出する複数のＲＡＫＥフィンガ及びこれらＲＡＫＥフィンガで算出された相関電力値をＲＡＫＥ合成するＲＡＫＥ合成手段を有するＲＡＫＥ受信機と
を備えた直接スペクトラム拡散通信の受信装置であって、
前記メモリは第２の記憶領域と第３の記憶領域とを備え、
前記ＲＡＫＥ受信機は、前記複数のＲＡＫＥフィンガで各パスにおける現在（ｔm）の瞬時相関電力値を求める瞬時相関電力算出手段を備え、
前記メモリの第２の記憶領域には前記各パスの過去（ｔ1〜ｔm-1）の全履歴である累積的相関電力値が記憶され、
前記累積的遅延プロファイル生成手段は、前記瞬時相関電力算出手段で求められた各パスの瞬時相関電力値に係数β（０＜β≦１）を乗算し、前記メモリの第２の記憶領域に保持されている各パスの過去の全履歴である累積的相関電力値に係数（１−β）を乗算し、これら乗算結果を各パス毎に加算して新たな各パスの累積的相関電力値を算出し、この算出された新たな累積的相関電力値を前記各パスの過去の全履歴である累積的相関電力値に代えて前記メモリの第２の記憶領域に格納して前記累積的相関電力値を更新し、前記メモリの第２の記憶領域に記憶された累積的相関電力値を各パス毎に前記メモリの第１の記憶領域に記憶された累積的遅延プロファイルに加算して、これを新たな累積的遅延プロファイルとして前記メモリの第３の記憶領域に格納するものであり、
前記パス決定手段は、前記メモリの第１の記憶領域に代えて前記第３の記憶領域に記憶された新たな累積的遅延プロファイルに基づいてＲＡＫＥ合成すべき複数のパスを決定するものであることを特徴とする直接スペクトラム拡散通信の受信装置。
【請求項８】
受信された直接スペクトラム拡散信号と拡散符号との各遅延時間毎の相関電力値を求めて現在（ｔn）の瞬時遅延プロファイルを生成するパスサーチ手段と、
過去（ｔ1〜ｔn-1）の全履歴である累積的遅延プロファイルを記憶する第１の記憶領域を有するメモリと、
前記パスサーチ手段で生成された現在の瞬時遅延プロファイルの各相関電力値に係数α（０＜α＜１）を乗算し、前記メモリの第１の記憶領域に記憶されている過去の全履歴である累積的遅延プロファイルの各相関電力値に係数（１−α）を乗算し、これら乗算結果を各遅延時間毎に加算して新たな累積的遅延プロファイルを生成する累積的遅延プロファイル生成手段と、
前記生成された新たな累積的遅延プロファイルを前記過去の全履歴である累積的遅延プロファイルに代えて前記メモリの第１の記憶領域に格納して前記累積的遅延プロファイルを更新する累積的遅延プロファイル更新手段と、
前記メモリの第１の記憶領域に格納された新たな累積的遅延プロファイルに基づいてＲＡＫＥ合成すべき複数のパスを決定するパス決定手段と、
このパス決定手段で決定された複数のパスのそれぞれが割り当てられて受信された直接スペクトラム拡散信号と拡散符号との各パスにおける相関電力値を算出する複数のＲＡＫＥフィンガ及びこれらＲＡＫＥフィンガで算出された相関電力値をＲＡＫＥ合成するＲＡＫＥ合成手段を有するＲＡＫＥ受信機と
を備えた直接スペクトラム拡散通信の受信装置であって、
前記メモリは第２の記憶領域と第３の記憶領域とを備え、
前記ＲＡＫＥ受信機は、前記複数のＲＡＫＥフィンガで各パスにおける現在（ｔm）の瞬時相関電力値を求める瞬時相関電力算出手段を備え、
前記メモリの第２の記憶領域には前記各パスの過去（ｔ1〜ｔm-1）の全履歴である累積的相関電力値が記憶され、
前記累積的遅延プロファイル生成手段は、前記瞬時相関電力算出手段で求められた各パスの瞬時相関電力値に係数β（０＜β≦１）を乗算し、前記メモリの第２の記憶領域に保持されている各パスの過去の全履歴である累積的相関電力値に係数（１−β）を乗算し、これら乗算結果を各パス毎に加算して新たな各パスの累積的相関電力値を算出し、この算出された新たな累積的相関電力値を前記各パスの過去の全履歴である累積的相関電力値に代えて前記メモリの第２の記憶領域に格納して前記累積的相関電力値を更新し、前記メモリの第２の記憶領域に記憶された累積的相関電力値に係数γ（γ＞１）を乗算した結果を各パス毎に前記メモリの第１の記憶領域に記憶された累積的遅延プロファイルに加算して、これを新たな累積的遅延プロファイルとして前記メモリの第３の記憶領域に格納するものであり、
前記パス決定手段は、前記メモリの第１の記憶領域に代えて前記第３の記憶領域に記憶された新たな累積的遅延プロファイルに基づいてＲＡＫＥ合成すべき複数のパスを決定するものである
ことを特徴とする直接スペクトラム拡散通信の受信装置。
【請求項９】
前記パス決定手段は、前記算出された新たな各パスの累積的相関電力値が所定の閾値を満足するかどうかを監視し、前記累積的相関電力値が所定の閾値を満足しないパスについては、前記ＲＡＫＥフィンガからそのパスの割当を外すものであることを特徴とする請求項７又は８記載の直接スペクトラム拡散通信の受信装置。
【請求項１０】
受信された直接スペクトラム拡散信号と拡散符号との各遅延時間毎の相関電力値を求めて現在（ｔn）の瞬時遅延プロファイルを生成するパスサーチ手段と、
過去（ｔ1〜ｔn-1）の全履歴である累積的遅延プロファイルを記憶する第１の記憶領域を有するメモリと、
前記パスサーチ手段で生成された現在の瞬時遅延プロファイルの各相関電力値を干渉電力値で割った信号電力対干渉電力比に係数α（０＜α＜１）を乗算し、前記メモリの第１の記憶領域に記憶されている過去の全履歴である累積的遅延プロファイルの各信号電力対干渉電力比に係数（１−α）を乗算し、これら乗算結果を各遅延時間毎に加算して新たな累積的遅延プロファイルを生成する累積的遅延プロファイル生成手段と、
前記生成された新たな累積的遅延プロファイルを前記過去の全履歴である累積的遅延プロファイルに代えて前記メモリの第１の記憶領域に格納して前記累積的遅延プロファイルを更新する累積的遅延プロファイル更新手段と、
前記メモリの第１の記憶領域に格納された新たな累積的遅延プロファイルに基づいてＲＡＫＥ合成すべき複数のパスを決定するパス決定手段と、
このパス決定手段で決定された複数のパスのそれぞれが割り当てられて受信された直接スペクトラム拡散信号と拡散符号との各パスにおける相関電力値を算出する複数のＲＡＫＥフィンガ及びこれらＲＡＫＥフィンガで算出された相関電力値をＲＡＫＥ合成するＲＡＫＥ合成手段を有するＲＡＫＥ受信機と
を備えた直接スペクトラム拡散通信の受信装置であって、
前記メモリは第２の記憶領域と第３の記憶領域とを備え、
前記ＲＡＫＥ受信機は、前記複数のＲＡＫＥフィンガで各パスにおける現在（ｔm）の瞬時相関電力値を求める瞬時相関電力算出手段を備え、
前記メモリの第２の記憶領域には前記各パスの過去（ｔ1〜ｔm-1）の全履歴である累積的信号対干渉電力比が記憶され、
前記累積的遅延プロファイル生成手段は、前記瞬時相関電力算出手段で求められた各パスの瞬時相関電力値を瞬時干渉電力値で割った各パスの瞬時信号電力対干渉電力比に係数β（０＜β≦１）を乗算し、前記メモリの第２の記憶領域に保持されている各パスの過去の全履歴である累積的信号対干渉電力比に係数（１−β）を乗算し、これら乗算結果を各パス毎に加算して新たな各パスの累積的信号電力対干渉電力比を算出し、この算出された新たな累積的信号電力対干渉電力比を前記各パスの過去の全履歴である累積的信号電力対干渉電力比に代えて前記メモリの第２の記憶領域に格納して前記累積的信号電力対干渉電力比を更新し、前記メモリの第２の記憶領域に記憶された累積的信号電力対干渉電力比を各パス毎に前記メモリの第１の記憶領域に記憶された累積的遅延プロファイルに加算して、これを新たな累積的遅延プロファイルとして前記メモリの第３の記憶領域に格納するものであり、
前記パス決定手段は、前記メモリの第１の記憶領域に代えて前記第３の記憶領域に記憶された新たな累積的遅延プロファイルに基づいてＲＡＫＥ合成すべき複数のパスを決定するものである
ことを特徴とする直接スペクトラム拡散通信の受信装置。
【請求項１１】
受信された直接スペクトラム拡散信号と拡散符号との各遅延時間毎の相関電力値を求めて現在（ｔn）の瞬時遅延プロファイルを生成するパスサーチ手段と、
過去（ｔ1〜ｔn-1）の全履歴である累積的遅延プロファイルを記憶する第１の記憶領域を有するメモリと、
前記パスサーチ手段で生成された現在の瞬時遅延プロファイルの各相関電力値を干渉電力値で割った信号電力対干渉電力比に係数α（０＜α＜１）を乗算し、前記メモリの第１の記憶領域に記憶されている過去の全履歴である累積的遅延プロファイルの各信号電力対干渉電力比に係数（１−α）を乗算し、これら乗算結果を各遅延時間毎に加算して新たな累積的遅延プロファイルを生成する累積的遅延プロファイル生成手段と、
前記生成された新たな累積的遅延プロファイルを前記過去の全履歴である累積的遅延プロファイルに代えて前記メモリの第１の記憶領域に格納して前記累積的遅延プロファイルを更新する累積的遅延プロファイル更新手段と、
前記メモリの第１の記憶領域に格納された新たな累積的遅延プロファイルに基づいてＲＡＫＥ合成すべき複数のパスを決定するパス決定手段と、
このパス決定手段で決定された複数のパスのそれぞれが割り当てられて受信された直接スペクトラム拡散信号と拡散符号との各パスにおける相関電力値を算出する複数のＲＡＫＥフィンガ及びこれらＲＡＫＥフィンガで算出された相関電力値をＲＡＫＥ合成するＲＡＫＥ合成手段を有するＲＡＫＥ受信機と
を備えた直接スペクトラム拡散通信の受信装置であって、
前記メモリは第２の記憶領域と第３の記憶領域とを備え、
前記ＲＡＫＥ受信機は、前記複数のＲＡＫＥフィンガで各パスにおける現在（ｔm）の瞬時相関電力値を求める瞬時相関電力算出手段を備え、
前記メモリの第２の記憶領域には前記各パスの過去（ｔ1〜ｔm-1）の全履歴である累積的信号対干渉電力比が記憶され、
前記累積的遅延プロファイル生成手段は、前記瞬時相関電力算出手段で求められた各パスの瞬時相関電力値を瞬時干渉電力値で割った各パスの瞬時信号電力対干渉電力比に係数β（０＜β≦１）を乗算し、前記メモリの第２の記憶領域に保持されている各パスの過去の全履歴である累積的信号対干渉電力比に係数（１−β）を乗算し、これら乗算結果を各パス毎に加算して新たな各パスの累積的信号電力対干渉電力比を算出し、この算出された新たな累積的信号電力対干渉電力比を前記各パスの過去の全履歴である累積的信号電力対干渉電力比に代えて前記メモリの第２の記憶領域に格納して前記累積的信号電力対干渉電力比を更新し、前記メモリの第２の記憶領域に記憶された累積的信号電力対干渉電力比に係数γ（γ＞１）を乗算した結果を各パス毎に前記メモリの第１の記憶領域に記憶された累積的遅延プロファイルに加算して、これを新たな累積的遅延プロファイルとして前記メモリの第３の記憶領域に格納するものであり、
前記パス決定手段は、前記メモリの第１の記憶領域に代えて前記第３の記憶領域に記憶された新たな累積的遅延プロファイルに基づいてＲＡＫＥ合成すべき複数のパスを決定するものである
ことを特徴とする直接スペクトラム拡散通信の受信装置。
【請求項１２】
前記パス決定手段は、前記算出された新たな各パスの累積的信号電力対干渉電力比が所定の閾値を満足するかどうかを監視し、前記累積的信号電力対干渉電力比が所定の閾値を満足しないパスについては、前記ＲＡＫＥフィンガからそのパスの割当を外すものであることを特徴とする請求項１０又は１１記載の直接スペクトラム拡散通信の受信装置。
【発明の詳細な説明】
【０００１】
【発明の属する技術分野】
本発明は、直接スペクトラム拡散通信方式を採用する携帯電話システムなどの移動無線システムにおけるマルチパスのフィンガー割り当てのためのパスサーチ方法及び受信装置に関する。
【０００２】
【従来の技術】
ＤＳ-ＣＤＭＡ（Direct Sequence−Code Division Multiple Access）通信方式は、異なる拡散符号を用いて複数の受信機が同一の周波数で通信を行なう方式である。移動通信においては、基地局と受信機との間の建物や地形の影響によって多重波伝搬路（マルチパス）が形成される。多重波伝搬路では、各波が干渉し合い受信機における品質劣化の要因となるが、ＤＳ-ＣＤＭＡ方式では、これらの多重波を分離しＲＡＫＥ合成することによって受信品質を向上させることができる。この多重波伝搬路から各パスを分離する過程がパスサーチである。パスサーチによって分離された各パスは、各ＲＡＫＥフィンガに割り当てられて各パスの波が抽出され合成されることになる。また、移動通信においては、多重波伝搬路の状況、つまり遅延時間に対する信号電力分布を示す遅延プロファイルの形状が時間とともに変動するため、パスサーチはその変動に追従し、常に電力の大きなパスをＲＡＫＥフィンガに割り当てるようにする必要がある。
【０００３】
一般に遅延プロファイルは、受信信号に含まれている既知のパイロット信号と拡散符号（スクランブルコード）との相関電力値を、遅延時間を少しずつずらして計算することによって生成される。ＣＤＭＡ受信機には、遅延時間をずらして並列的にパスサーチを行うために使用する複数のパスサーチフィンガと、検出された複数のパスのそれぞれが割り当てられて、ＲＡＫＥ合成に供される複数のＲＡＫＥフィンガとが備えられている。受信機では周期的にパスサーチフィンガによって遅延プロファイルを生成し、その遅延プロファイルから電力の大きい順番にＲＡＫＥフィンガの数だけのパスを選択し、これらパスのそれぞれをＲＡＫＥフィンガに割り当てするようにしている。
【０００４】
【発明が解決しようとする課題】
移動通信においては、多重波伝搬路の各パスがレイリー変動する。このため、パスサーチフィンガで遅延プロファイルを生成している時に、たまたま多重波伝搬路の変動の影響で、一時的に大きな相関電力値が得られたり、逆に小さな相関電力値が得られることがある。この場合、本来、相関電力値の大きなパスがＲＡＫＥフィンガに割り当てられず、逆に相関電力値の小さなパスが誤ってＲＡＫＥフィンガに割り当てられることもある。この場合、受信特性が劣化してしまう。
【０００５】
一方、パスサーチの結果に応じてＲＡＫＥフィンガへ割り当てられるパスが更新されるため、測定された遅延プロファイルの結果によってはＲＡＫＥフィンガに割り当てられていたパスを全て入れ替える可能性がある。ＲＡＫＥフィンガへの割り当てパスが変更になると、逆拡散するための符号の位相もその新しいパスの位相に合わせなければならないため、受信機における処理が多くなってしまい、電力消費量が増加するという問題がある。
【０００６】
この点について、特開２０００−１１５０２２号には、遅延プロファイル電力加算部を設けて、遅延プロファイルに対してフェージング等によりパス変動を平均化すること、及び複数のＲＡＫＥフィンガの現在のパスの割当状態により状態重み付け関数を算出し、この状態重み付け関数を遅延プロファイルに乗算してからパスサーチを行うようにすることが開示されている。
【０００７】
しかし、フェージングによるパス変動の平均化は、瞬間的な周波数変動に対してはある程度の安定化の効果が期待されるが、シャドウイング等による瞬時的な受信電力の低下に対しては対処する事ができない。また、従来のＲＡＫＥフィンガの現在のパス割当状態により算出された状態重み付け変数を遅延プロファイルに乗算する方式では、現在割り当てられているパスが無条件に優位なレベルに設定されるため、逆に、通信状態の変動に対する適応性が低下してしまうという問題がある。
【０００８】
本発明は、このような点に鑑みなされたもので、多重伝送路の変動に対して、応答性を大幅に損なうことなく、且つ安定した受信動作を確保することができる直接スペクトラム拡散通信のパスサーチ方法及び受信装置を提供することを目的とする。
【００１２】
【課題を解決するための手段】
本発明に係る第１のパスサーチ方法は、受信された直接スペクトラム拡散信号と拡散符号との各遅延時間毎の相関電力値を求めて現在（ｔn）の瞬時遅延プロファイルを生成するステップと、この現在の瞬時遅延プロファイルの各相関電力値に係数α（０＜α＜１）を乗算し、過去（ｔ1〜ｔn-1）の全履歴である累積的遅延プロファイルの各相関電力値に係数（１−α）を乗算し、これら乗算結果を各遅延時間毎に加算して第１の新たな累積的遅延プロファイルを生成するステップと、複数のパスのそれぞれが割り当てられる複数のＲＡＫＥフィンガで各パスにおける現在（ｔm）の瞬時相関電力値を求めるステップと、前記求められた各パスの現在の瞬時相関電力値に係数β（０＜β≦１）を乗算し、各パスの過去（ｔ1〜ｔm-1）の全履歴である累積的相関電力値に係数（１−β）を乗算し、これら乗算結果を各パス毎に加算して各パスの新たな累積的相関電力値を算出するステップと、前記各パスの新たな累積的相関電力値を各パス毎に前記第１の新たな累積的遅延プロファイルに加算して、第２の新たな累積的遅延プロファイルを生成するステップと、前記第２の新たな累積的遅延プロファイルに基づいてＲＡＫＥ合成すべき複数のパスを決定するステップとを備えたことを特徴とする。
【００１３】
本発明に係る第１の受信装置は、受信された直接スペクトラム拡散信号と拡散符号との各遅延時間毎の相関電力値を求めて現在（ｔn）の瞬時遅延プロファイルを生成するパスサーチ手段と、過去（ｔ1〜ｔn-1）の全履歴である累積的遅延プロファイルを記憶する第１の記憶領域を有するメモリと、前記パスサーチ手段で生成された現在の瞬時遅延プロファイルの各相関電力値に係数α（０＜α＜１）を乗算し、前記メモリの第１の記憶領域に記憶されている過去の全履歴である累積的遅延プロファイルの各相関電力値に係数（１−α）を乗算し、これら乗算結果を各遅延時間毎に加算して新たな累積的遅延プロファイルを生成する累積的遅延プロファイル生成手段と、前記生成された新たな累積的遅延プロファイルを前記過去の全履歴である累積的遅延プロファイルに代えて前記メモリの第１の記憶領域に格納して前記累積的遅延プロファイルを更新する累積的遅延プロファイル更新手段と、前記メモリの第１の記憶領域に格納された新たな累積的遅延プロファイルに基づいてＲＡＫＥ合成すべき複数のパスを決定するパス決定手段と、このパス決定手段で決定された複数のパスのそれぞれが割り当てられて受信された直接スペクトラム拡散信号と拡散符号との各パスにおける相関電力値を算出する複数のＲＡＫＥフィンガ及びこれらＲＡＫＥフィンガで算出された相関電力値をＲＡＫＥ合成するＲＡＫＥ合成手段を有するＲＡＫＥ受信機とを備えた受信装置であって、前記メモリが第２の記憶領域と第３の記憶領域とを備え、前記ＲＡＫＥ受信機が、前記複数のＲＡＫＥフィンガで各パスにおける現在（ｔm）の瞬時相関電力値を求める瞬時相関電力算出手段を備え、前記メモリの第２の記憶領域には前記各パスの過去（ｔ1〜ｔm-1）の全履歴である累積的相関電力値が記憶され、前記累積的遅延プロファイル生成手段が、前記瞬時相関電力算出手段で求められた各パスの瞬時相関電力値に係数β（０＜β≦１）を乗算し、前記メモリの第２の記憶領域に保持されている各パスの過去の全履歴である累積的相関電力値に係数（１−β）を乗算し、これら乗算結果を各パス毎に加算して新たな各パスの累積的相関電力値を算出し、この算出された新たな累積的相関電力値を前記各パスの過去の全履歴である累積的相関電力値に代えて前記メモリの第２の記憶領域に格納して前記累積的相関電力値を更新し、前記メモリの第２の記憶領域に記憶された累積的相関電力値を各パス毎に前記メモリの第１の記憶領域に記憶された累積的遅延プロファイルに加算して、これを新たな累積的遅延プロファイルとして前記メモリの第３の記憶領域に格納するものであり、前記パス決定手段が、前記メモリの第１の記憶領域に代えて前記第３の記憶領域に記憶された新たな累積的遅延プロファイルに基づいてＲＡＫＥ合成すべき複数のパスを決定するものであることを特徴とする。
【００１４】
本発明の第１のパスサーチ方法及び受信装置によれば、現在の瞬時的な遅延プロファイルの各相関電力値に対して係数αを乗算し、第１の記憶手段に記憶されている過去の全履歴である累積的遅延プロファイルの各相関電力値に対して係数（１−α）を乗算し、これら乗算結果を各遅延時間毎に加算して新たな累積的遅延プロファイルを作成し、累積的遅延プロファイルを逐次更新していくようにしているので、フェージング等による周波数変動やシャドウイング等による一時的なパスの消失等にもパスの瞬時的な切り替えが防止でき、しかも本来の継続的なパスの変更に対しても比較的短時間での応答が可能になる。しかも、累積的遅延プロファイルは、過去の履歴情報を１つの遅延プロファイルに蓄積したものであるから、一定期間の遅延プロファイルを記憶して平均化処理する場合に比べ、少ないメモリ容量で足りるという利点がある。なお、パスの頻繁な切替を抑えて、安定した受信状態を確保するためには、係数αは、０＜α＜０．５に設定することが望ましい。また、本発明の第１のパスサーチ方法及び受信装置によれば、上記の作用効果に加え、ＲＡＫＥフィンガで各パスの瞬間相関電力値を求め、これに係数βを乗算し、第２の記憶手段に記憶されている各パスの過去の全履歴である累積的相関電力値に係数（１−β）を乗算し、これら乗算結果を各パス毎に加算して新たな各パスの累積的相関電力値を算出し、第２の記憶手段に記憶された累積的相関電力値を逐次更新していき、更に求められた各パスの累積的相関電力値を第１の記憶手段に記憶された累積的遅延プロファイルに加算して、これを新たな累積的遅延プロファイルとしている。即ち、一般にパスサーチは、予め設定されたパスサーチ周期で行われるのに対し、ＲＡＫＥフィンガにおける相関電力値の計算は、パスサーチ周期よりも頻繁に実行されるので、求められた累積的遅延プロファイルは、ＲＡＫＥフィンガにおける実際の通信状態をより反映したものとなる。このため、この累積的遅延プロファイルを用いてパスを決定することにより、より安定した、適応性のある受信動作が可能になる。しかも、各パスの累積的相関電力値は、過去の履歴情報を１つの累積的相関電力値に蓄積したものであるから、一定期間の相関電力値を記憶して平均化処理する場合に比べ、少ないメモリ容量で足りるという利点がある。なお、パスの頻繁な切替を抑えて、安定した受信状態を確保するためには、係数βは、０．５＜β≦１に設定することが望ましい。
【００１５】
本発明に係る第２のパスサーチ方法は、上記第１のパスサーチ方法に加え、前記各パスの新たな累積的相関電力値に係数γ（γ＞１）を乗算した結果を各パス毎に前記第１の新たな累積的遅延プロファイルに加算して、第２の新たな累積的遅延プロファイルを生成するようにしたことを特徴とする。
【００１６】
本発明に係る第２の受信装置は、上記第１の受信装置に加え、前記累積的遅延プロファイル生成手段が、前記メモリの第２の記憶領域に記憶された累積的相関電力値に係数γ（γ＞１）を乗算した結果を各パス毎に前記メモリの第１の記憶領域に記憶された累積的遅延プロファイルに加算して、これを新たな累積的遅延プロファイルとして前記メモリの第３の記憶領域に格納するものであることを特徴とする。
【００１７】
本発明の第２のパスサーチ方法及び受信装置によれば、累積的遅延プロファイルの作成に際し、ＲＡＫＥフィンガでの実際の受信状態に基づく重み付けの比重を高くするようにしているので、更に実際の通信状態に即した適切な受信動作が可能である。なお、係数γは、１＜γ＜１０に設定することが望ましい。
【００１８】
本発明に係る第３のパスサーチ方法は、上記第１及び第２のパスサーチ方法に加え、前記算出された新たな各パスの累積的相関電力値が所定の閾値を満足するかどうかを監視するステップと、このステップで前記累積的相関電力値が所定の閾値を満足しないパスについては、前記ＲＡＫＥフィンガからそのパスの割当を外すステップとを更に含むことを特徴とする。
【００１９】
本発明に係る第３の受信装置は、上記第１及び第２の受信装置において、前記パス決定手段が、前記算出された新たな各パスの累積的相関電力値が所定の閾値を満足するかどうかを監視し、前記累積的相関電力値が所定の閾値を満足しないパスについては、前記ＲＡＫＥフィンガからそのパスの割当を外すものであることを特徴とする。
【００２０】
本発明の第３のパスサーチ方法及び受信装置によれば、各パスの累積的相関電力値を監視し、この累積的相関電力値が所定の閾値を満足しないパスについては、ＲＡＫＥフィンガの割当を外すようにしているので、受信特性を更に向上させることができる。
【００２１】
なお、上述した遅延プロファイルの各相関電力値及びＲＡＫＥフィンガでの各パスの相関電力値は、それらを干渉電力値で割った信号電力値対干渉電力比に置き換えるようにしても良く、この場合、更に受信特性が向上する。
【００２２】
【発明の実施の形態】
以下、図面を参照して、本発明の実施の形態について説明する。
（第１の実施形態）
図１は、本発明の第１の実施形態に係る直接スペクトラム拡散通信の受信装置の構成を示すブロック図である。図１に示すように、この受信装置は、信号を受信するアンテナ１と、このアンテナ１を介して受信された直接スペクトラム拡散信号をベースバンド信号に変換するＲＦ部２と、このＲＦ部２の出力をアナログ信号からディジタル信号に変換するＡ／Ｄ変換部３と、パスサーチのために受信信号に含まれる共通パイロット信号とスクランブルコードとを相関演算するパスサーチ部４と、検出された各パスでデータを復号してＲＡＫＥ合成を行なうためのＲＡＫＥ受信機５と、パスサーチ制御、パス決定、パスの割り当て、ＲＡＫＥ受信制御等を実行するコントローラ６と、パス決定のための遅延プロファイル等を記憶するメモリ７とを備えて構成されている。
【００２３】
パスサーチ部４は、Ｐｆ個のパスサーチフィンガ１０を有する。各パスサーチフィンガ１０には、受信信号の同期検波用の共通パイロット用相関器１１と、この共通パイロット用相関器１１に拡散符号としてのスクランブルコードを供給するスクランブルコード発生器１２と、受信信号とスクランブルコードとの相関電力を測定する電力測定器が１３とが含まれている。ＲＡＫＥ受信機５は、Ｒｆ個のＲＡＫＥフィンガ２０と、これらＲＡＫＥフィンガ２０からの信号電力を同相合成するＲＡＫＥ合成手段を構成する加算器３０とを有する。各ＲＡＫＥフィンガ２０には、受信信号の同期検波用の共通パイロット用相関器２１と、受信信号から各パスのデータを復調するためのデータ用相関器２２と、これら相関器２１，２２に拡散符号であるスクランブルコードを供給するスクランブルコード発生器２３と、データ用相関器２２に拡散符号であるチャネライジングコードを供給するチャネライジングコード発生器２４とが備えられている。また、各ＲＡＫＥフィンガ２０には、共通パイロット用相関器２１からの相関値に基づいて伝送路応答を推定する伝送路応答推定器２５と、推定された伝送路応答とデータ用相関器２２からの相関値とを複素乗算して復調されたデータを出力する複素乗算器２６と、この複素乗算器２６から出力される復調されたデータに対し、各ＲＡＫＥフィンガ２０に割り当てられたパスに相当する遅延時間を補償して全てのＲＡＫＥフィンガ２０のデータタイミングを合わせるパス遅延補償部２７とが備えられている。なお、パスサーチを行なうためには、相関器１１の代わりにマッチトフィルターを使用しても良い。
【００２４】
次に、このように構成された受信装置の動作について説明する。
図２は、受信信号の構成を模式的に示す図である。受信信号には、ユーザ毎に異なるチャネライジングコードで拡散されたデータＤＡＴＡ１，２，３，…と、既知信号である共通パイロット信号とが多重されている。また、各基地局は、基地局毎に異なるスクランブルコードを使用して送信信号を生成する。
【００２５】
この受信装置において、パスサーチ部４とＲＡＫＥ受信機５とは独立に動作する。パスサーチ部４は、コントローラ６からの命令でスクランブルコード発生器１２の位相を設定し、受信信号に含まれる共通パイロット信号との相関値を共通パイロット用相関器１１で計算する。その相関値から電力測定器１３で相関電力値を測定する。電力測定器１３は、共通パイロット信号の相関結果を複数シンボルにわたってベクトル平均化するもので、ＤＳＰ（Digital Signal Processor）等で構成することもできるが、より簡易な構成で実現できる形態として、例えば図３に示すように構成することができる。この電力測定器１３は、共通パイロット用相関器１１からの相関値が複数シンボル分格納されるシフトレジスタ１３１と、このシフトレジスタ１３１に格納された相関値をベクトル加算する加算器１３２と、加算器１３２の出力を二乗して相関電力値を求める乗算器１３３とにより構成することができる。これにより例えば共通パイロット信号の８シンボルを使用して到来するマルチパスタイミングを、相関電力値のピーク値という形で検出することができる。
【００２６】
コントローラ６は、各パスサーチフィンガ１０で計算された相関電力値をメモリ７に書きこむ。メモリ７に書きこむ内容は、各パスの遅延時間毎の相関電力値である。これをここでは、現在の「瞬時遅延プロファイル」と呼ぶ。例えば、図４に示すように、複数のパスサーチフィンガ１０は、相関演算の開始タイミングを遅延時間軸τ方向に少しずつずらして共通パイロット信号の相関電力値を並列に算出する。受信信号にパスＰ１，Ｐ２，Ｐ３が含まれている場合、時刻ｔn-1と時刻ｔnで得られた瞬時遅延プロファイルには、それぞれパスＰ１，Ｐ２，Ｐ３の先頭位置に対応する遅延時間で、ピークの相関電力値が得られる。
【００２７】
一方、ＲＡＫＥ受信機５では、コントローラ６からの命令で、各ＲＡＫＥフィンガ２０に各パスが割り当てられ、チャネライジングコード発生器２４及びスクランブルコード発生器２３がそれぞれスクランブルコード及びチャネライゼーションコードの位相をセットし、受信データの逆拡散処理を実行する。それと同時に伝送路応答推定器２５で伝送路応答推定を行ない、その結果をデータに適用する。
【００２８】
次に、本実施形態に係る受信装置を使用した第１の実施形態に係るパスサーチ方法について説明する。
図５はコントローラ６によって実現される本実施形態に係るパスサーチのフローチャート、図６は同パスサーチのタイミングチャートである。いま、例えばパスサーチを行なう周期を５０ｍｓとする。コントローラ６は５０ｍｓ毎にパスサーチ部４へサーチ命令を出力し、図６に示すようなタイミングで相関電力値をパスサーチ部４から取り込み、メモリ７に書き込んでいく。遅延プロファイルを生成するパスサーチ窓幅分の相関電力値の計算が終了したら、メモリ７への書きこみを終了する。そして、次のパスサーチの時間になったら、コントローラ６は、メモリ７に書き込まれていた遅延プロファイルの各相関電力値に係数（１−α）（但し、０＜α＜１）を乗算してメモリ７の内容を更新する（Ｓ１１）。このときメモリ７に記憶される遅延プロファイルを時刻（ｔn）における「瞬時遅延プロファイル」と区別するため、「累積的遅延プロファイル」と呼ぶ。一方、コントローラ６はパスサーチ部４へパスサーチ窓幅分の相関電力値を計算させて、これを順次取り込んで瞬時遅延プロファイルとしてメモリ７へ書きこむ（Ｓ１２）。その際、瞬時遅延プロファイルの各相関電力値には係数αを乗算しておく（Ｓ１３）。そして、メモリ７内に書きこまれている累積的遅延プロファイル（係数αが乗算されたもの）と、瞬時遅延プロファイル（係数（１−α）が乗算されたもの）との遅延時間毎に相関電力値毎の足し算を行ない（Ｓ１４）、その結果を新たな累積的遅延プロファイルとしてメモリ７に書きこむ（Ｓ１５）。ただし、ここでの足し算は、同じ遅延時間をもつパス同士の足し算である。このように更新された情報から閾値を満足するパスで、かつＲＡＫＥフィンガー数Ｒｆ以下のパスを選択する（Ｓ１６，１７，１８）。ここでいう閾値を満足するパスとは、例えば、最大電力を有するパスの相関電力ピーク値からＴ１［ｄＢ］以内に含まれる電力ピークを持つパス、又はＴ２［ｄＢ］以上の相関電力値を有するパスを意味する。このように、コントローラ６は、累積的遅延プロファイル生成手段、累積的遅延プロファイル更新手段、パス決定手段を構成する。
【００２９】
本実施形態によれば、メモリ７に過去の遅延プロファイルが累積的に記憶されていくので、瞬時的な変動に対して強く、また、通信条件が変化した場合には、瞬時的遅延プロファイルにより、累積的遅延プロファイルが順次変更されていくので、変化した通信条件にも追従することができる。また、本実施形態によれば、１つの累積的遅延プロファイルに過去の全履歴（時刻ｔ1〜ｔn-1の情報）が蓄積されるので、記憶すべき情報量の削減と、演算データ数の削減とを図ることができる。ここで、αは、通信の安定度を確保するためには、０＜α＜０．５に設定することが望ましい。
【００３０】
（第２の実施形態）
次に、本発明の第２の実施形態に係る直接スペクトラム拡散通信の受信装置について説明する。図７は、本実施形態に係る受信装置の構成を示すブロック図である。本実施形態では、ＲＡＫＥ受信機５′の各ＲＡＫＥフィンガ２０′に、伝送路応答推定器２５で得られた相関値から各パスの相関電力値を算出する電力測定器２８が備えられている。この電力測定器２８からの相関電力値は、メモリ７に格納され、コントローラ６でのパスの決定に使用される。伝送路応答推定器２５は、ＤＳＰで構成することもできるが、より構成の簡略化を図るためには、電力測定器１３と同様、例えば、図８に示すように、共通パイロット用相関器２１からの相関値が複数シンボル分格納されるシフトレジスタ２５１と、このシフトレジスタ２５１に格納された相関値をベクトル加算する加算器２５２と、ベクトル平均化して得られた伝送路応答（複素数）の複素共役を求める複素共役器２５３とを備えて構成する事が望ましい。また、電力測定器２８は、図８に示すように、ベクトル平均化された伝送路応答（複素数）を二乗して相関電力値を算出する乗算器２８１により構成することができる。なお、他の構成については、図１の構成と同様であるため、詳しい説明は割愛する。
【００３１】
図９は図７のコントローラ６によって実現される本発明の第２の実施形態に係るパスサーチのフローチャート、図１０は同パスサーチのタイミングチャートである。
この実施形態では、メモリ７が３つの記憶領域（メモリ１、メモリ２，メモリ３）に論理的に分割されている。図９のステップＳ１１〜Ｓ１５までのパスサーチ部４での動作は、基本的に第１の実施形態と同じであるため、重複する部分の説明は割愛する。累積的遅延プロファイルは、メモリ１に記憶される。
本実施形態では、パスサーチ部４での累積的遅延プロファイルの生成及び更新と並行して、ＲＡＫＥ受信機５で各パスの相関電力値が算出される。図１０は、その計算タイミングを示している。コントローラ６は、例えば５０ｍｓ間隔でのパスサーチと並行して、例えば１０ｍｓ毎に、伝送路応答を推定する伝送路応答推定器２５からの平均相関電力値をメモリ２に書きこむ。そして、１０ｍｓ経過したら、コントローラ６は、メモリ２に書き込まれていた相関電力値（以後、これは「累積的相関電力値」となる）に係数（１−β）（但し０＜β≦１）を乗算してメモリ２の内容を更新する（Ｓ２１）。一方、コントローラ６はＲＡＫＥ受信機５に現在割り当てられているパスに対する相関電力値（これを「瞬時相関電力値」と呼ぶ）を計算させ（Ｓ２２）、得られた瞬時相関電力値に係数βを乗算する（Ｓ２３）。そして、メモリ２内に書きこまれている累積的相関電力値（係数（１−β）が乗算されたもの）と瞬時相関電力値（係数βが乗算されたもの）とを同じ遅延時間のパス同士で足し算し（Ｓ２４）、その結果を新たな相関電力値としてメモリ２の内容を更新する（Ｓ２５）。
【００３２】
つまり、図１０に示すように、メモリ１は５０ｍｓ毎に更新され、メモリ２は１０ｍｓ毎に更新される。ＲＡＫＥフィンガ２０′への割り当て変更もメモリ１のアップデートと同期して５０ｍｓ毎に行なう。即ち、メモリ１とメモリ２の両相関電力値を足し合わせた結果を新たな累積的遅延プロファイルとしてメモリ３に書き込む（Ｓ２６）。ただし、メモリ１とメモリ２の足し算は、同じ遅延時間をもつパス同士で行う。そして、このように生成されたメモリ３内の累積的遅延プロファイルから閾値を満足するパスで、かつＲＡＫＥフィンガ数Ｒｆ以下のパスを選択する（Ｓ１６，Ｓ１７，Ｓ１８）。
【００３３】
この第２の実施形態によれば、パスサーチ周期よりも頻繁に計算されるＲＡＫＥ受信機５での各パスの相関電力値を用いて累積的遅延プロファイルを生成するようにしているので、実際の通信状態をより反映したパスサーチが可能になる。なお、より安定した受信動作を実現するためには、βは、０．５＜β≦１であることが望ましい。
【００３４】
（第３の実施形態）
次に本発明の第３の実施形態に係るパスサーチ方法について説明する。
図１１は図７のコントローラ６によって実現される本実施形態に係るパスサーチのフローチャート、図１２は同パスサーチのタイミングチャートである。
なお、パスサーチ部４及びＲＡＫＥ受信機５′の動作については、第２の実施形態と同様であるため、重複する部分の説明は割愛する。
本実施形態では、ステップＳ１５及びＳ２５まででメモリ１，２に所定のデータが求められたら、図１２に示すようなタイミングで、メモリ２の累積的相関電力値に対して係数γ（＞１）を乗算し、その値とメモリ１の累積的遅延プロファイルとを足し合わせ、その結果を新たな累積的遅延プロファイルとしてメモリ３に書き込む。ただし、メモリ１とメモリ２の足し算は、同じ遅延時間をもつパス同士で行う。このように生成されたメモリ３の累積的遅延プロファイルから閾値を満足するパスで、かつＲＡＫＥフィンガ数Ｒｆ以下のパスを選択する（Ｓ１６，Ｓ１７，Ｓ１８）。
【００３５】
本実施形態によれば、ＲＡＫＥフィンガ２０′からの相関電力値に係数γを掛け合せた後に、メモリ１内の累積的遅延プロファイルと加算して、新たな累積的遅延プロファイルを作成するようにしているので、パスサーチフィンガ１０からの情報よりも信頼性が高いＲＡＫＥフィンガーからの情報に重み付けをすることができ、受信動作の信頼性が向上する。なお、γとしては、例えば１＜γ＜１０程度が望ましい。
【００３６】
（第４の実施形態）
次に本発明の第４の実施形態に係るパスサーチ方法について説明する。
図１３は図７のコントローラ６によって実現される本実施形態に係るパスサーチのフローチャート、図１４は同パスサーチのタイミングチャートである。
なお、パスサーチ部４及びＲＡＫＥ受信機５′の動作、及びパスの決定過程については、第３の実施形態と同様であるため、重複する部分の説明は割愛する。
本実施形態では、コントローラ６がメモリ２の更新周期である１０ｍｓ毎に各ＲＡＫＥフィンガ２０での相関電力値を監視し（Ｓ４１）、所定の閾値Ｔ３［ｄＢ］を満足しないパスを切り離すようにＲＡＫＥ受信機５に命令する（Ｓ４２）。  本実施形態によれば、Ｓ／Ｎの悪いパスをＲＡＫＥフィンガ２０から外すことができるので、受信特性を更に向上させることができる。
【００３７】
（第５の実施形態）
第１の実施形態では、メモリ７に保存する瞬時的遅延プロファイル及び累積的遅延プロファイルのデータとして相関電力値を用いたが、第５の実施形態では、これら相関電力値に代えて信号電力対干渉電力比（ＳＩＲ）を使用する。
いま、パスサーチ窓幅をＷとし、その範囲の各相関電力値をＰ（ｋ）とする。ただしｋ＝１，２，…，Ｗである。このとき、ｋ番目の信号電力対干渉電力比ＳＩＲ（ｋ）は以下のような計算によって求められる。
【００３８】
【数１】
ＳＩＲ（ｋ）＝（Ｗ−１）×Ｐ（ｋ）／（ΣＰ（ｊ）−Ｐ（ｋ））
ただし、ｊ＝１〜Ｗ
【００３９】
このように求められた信号対干渉電力比ＳＩＲを、第１の実施形態の相関電力値と置き換えることによって、さらに性能を向上させることができる。
【００４０】
（第６、第７及び第８の実施形態）
第２、第３及び第４の実施形態では、メモリ１に保存する遅延プロファイルのデータ及びメモリ２に保存する各パスのデータとして相関電力値を用いたが、第６、第７及び第８の実施形態では、メモリ１に保存する遅延プロファイルのデータとして、相関電力値に代えて第５の実施形態で求めた信号電力対干渉電力比（ＳＩＲ）を使用し、メモリ２に保存するＲＡＫＥフィンガ２０′からのデータとして、下記の信号電力対干渉電力比（ＳＩＲ）を使用する。
【００４１】
例えば，共通パイロット信号８シンボル平均の相関電力値に基づく信号対干渉電力比を求める場合、各シンボル（ベクトル）をＶ（ｋ）とすると、それらの平均ベクトルＡは、次のように求められる。但し、ｋ＝１，２，…，８である。
【００４２】
【数２】
Ａ＝ΣＶ（ｊ）／８
但し、ｊ＝１〜８
【００４３】
また、平均電力値をＡｐとすると、
【００４４】
【数３】
Ａｐ＝｜Ａ｜2
【００４５】
となる。一方、干渉電力Ｂは以下のように求められる。
【００４６】
【数４】
Ｂ＝（Σ｜Ｖ（ｊ）−Ａ｜2）／８
但し、ｊ＝１〜８
【００４７】
以上より信号電力対干渉電力ＳＩＲtmpは以下のように求められる。
【００４８】
【数５】
ＳＩＲtmp＝Ａｐ／Ｂ
【００４９】
さらに、このＳＩＲtmpを１０ｍｓ内（１０ｍｓ内には８シンボルが１８組ある）で平均した値をAvＳＩＲtmpとすると、
【００５０】
【数６】
AvＳＩＲtmp＝ΣＳＩＲtmp／１８
【００５１】
このようにして求められた信号電力対干渉電力値AvＳＩＲtmpを第２、第３及び第４の実施形態におけるＲＡＫＥフィンガ２０′からの相関電力値と置き換えることにより、さらに性能を向上させることができる。
【００５２】
（第９の実施形態）
図１５は、本発明の第９の実施形態に係る直接スペクトラム拡散通信の受信装置の構成を示すブロック図である。本実施形態では、データを伝送するためのチャネルと、システムのタイミング及び位相を伝送するためのチャネルとが、時分割に送信されているシステムに対応するものである。この場合、共通パイロット信号がなく、各データの中にパイロット信号が埋め込まれている。
【００５３】
本実施形態の受信装置では、パスサーチ受信機４′の各パスサーチフィンガ１０′に、図７に示した共通パイロット用相関器１１に代えてパイロット用相関器１４が設けられ、ＲＡＫＥ受信機５′を構成するＲＡＫＥフィンガ２０′に共通パイロット用相関器２１が無く、伝送路応答推定器２５にはデータ用相関器２２からの相関値が供給されている。その他の構成は、図７と同一であるため、重複する部分の説明は割愛する。
【００５４】
本実施形態に係る受信装置においても、同期検波用のパイロット信号の形態が異なる他は、図７の受信装置と同様の効果を得ることができる。
【００５５】
（第１０の実施形態）
図１６は、本発明の第１０の実施形態に係る直接スペクトラム拡散通信の受信装置の構成を示すブロック図である。
この実施形態に係る受信装置では、ＲＡＫＥ受信機５″を構成する各ＲＡＫＥフィンガ２０″の電力測定器２８の後段に、電力測定器２８からの相関電力値を時間平均する平均化器２９が設けられている。その他の構成は、図７の構成と同様であるため、重複する部分の説明は割愛する。なお、本実施形態はデータを伝送するためのチャネルと、システムのタイミング及び位相を伝送するためのチャネルが、別の拡散符号により拡散され、並列に送信されているシステムに対応するものである。
【００５６】
本実施形態によれば、電力測定器２８からの相関電力値が、平均化器２９において複数回にわたって平均化され、その結果がコントローラ６に伝達される。コントローラ６側で平均化する必要はない。この様な処理により、実際に受信しているマルチパスの強度情報を長時間にわたり平均化することが可能となり、フェージングによる変動を軽減して、受信装置のパスサーチ能力を向上させることができる。これにより、受信装置の受信性能を向上させることが可能となる。
【００５７】
（第１１の実施形態）
図１７は、本発明の第１１の実施形態に係る直接スペクトラム拡散通信の受信装置の構成を示すブロック図である。
この実施形態に係る受信装置は、図１６に示した第１０の実施形態の構成に加え、各ＲＡＫＥフィンガ２０″の電力測定器２８及び平均化器２９の動作タイミングを制御するタイマ８が設けられている。なお、本実施形態もデータを伝送するためのチャネルと、システムのタイミング及び位相を伝送するためのチャネルが、別の拡散符号により拡散され、並列に送信されているシステムに対応するものである。
【００５８】
本実施形態においても、電力測定器２８からの相関電力値が、平均化器２９において複数回にわたって平均化され、その結果がコントローラ６に伝達されることになるが、この平均化は、無線伝送路の強度変動を抑圧できる程度の平均ができれば良いため、常に動作する必要は無い。本実施形態によれば、電力測定器２８及び平均化器２９の動作タイミングを制御するタイマ８を有するので、このタイマ８を用いて電力測定器２８と平均化器２９の動作（起動／停止）タイミングを制御することができる。これにより、実際に受信しているマルチパスの強度情報を長時間にわたり平均化することを可能としつつ、処理量を軽減することが可能となる。従って、本発明のＣＤＭＡ受信装置は、受信性能を向上させながら、消費電力を抑制することが可能となる。
なお、以上の実施形態では、各機能が独立な構成であるとして説明したが、これらの構成要素のうちの幾つかを１つのＣＰＵ上で実現することも可能である。
【００５９】
【発明の効果】
以上、詳述したように、本発明によれば、直接スペクトラム拡散通信方式において、ＲＡＫＥフィンガーに割り当てるパスの検出精度を向上させることができるため、受信特性を向上させることができるという効果を奏する。
【図面の簡単な説明】
【図１】  本発明の第１の実施形態に係る直接スペクトラム拡散通信の受信装置の構成を示すブロック図である。
【図２】  同受信装置に受信される受信信号の構成を示す図である。
【図３】  同受信装置におけるパスサーチフィンガの電力測定器のブロック図である。
【図４】  同受信信号からパスサーチによって求められる遅延プロファイルを示す図である。
【図５】  第１の実施形態によるパスサーチの手順を示すフローチャートである。
【図６】  同パスサーチのタイミングチャートである。
【図７】  本発明の第２の実施形態に係る直接スペクトラム拡散通信の受信装置の構成を示すブロック図である。
【図８】  同受信装置におけるＲＡＫＥフィンガの伝送路応答推定部及び電力測定器のブロック図である。
【図９】  第２の実施形態によるパスサーチの手順を示すフローチャートである。
【図１０】  同パスサーチのタイミングチャートである。
【図１１】  第３の実施形態によるパスサーチの手順を示すフローチャートである。
【図１２】  同パスサーチのタイミングチャートである。
【図１３】  第４の実施形態によるパスサーチの手順を示すフローチャートである。
【図１４】  同パスサーチのタイミングチャートである。
【図１５】  本発明の第９の実施形態に係る直接スペクトラム拡散通信の受信装置の構成を示すブロック図である。
【図１６】  本発明の第１０の実施形態に係る直接スペクトラム拡散通信の受信装置の構成を示すブロック図である。
【図１７】  本発明の第１１の実施形態に係る直接スペクトラム拡散通信の受信装置の構成を示すブロック図である。
【符号の説明】
１…アンテナ
２…Ｒ／Ｆ部
３…Ａ／Ｄ変換器
４，４′…パスサーチ部
５，５′，５″…ＲＡＫＥ受信機
６…コントローラ
７…メモリ
８…タイマ
１０…パスサーチフィンガ
１１，２１…共通パイロット用相関器
１２，２３…スクランブルコード発生器
１３，２８…電力測定器
１４…パイロット用相関器
２０，２０′，２０″…ＲＡＫＥフィンガ
２２…データ用相関器
２４…チャネライジングコード発生器
２５…伝送路応答推定器
２６…複素乗算器
２７…パス遅延補償器
３０…加算器
【図１】
0003688625.tif 000002
【図２】
0003688625.tif 000003
【図３】
0003688625.tif 000004
【図４】
0003688625.tif 000005
【図５】
0003688625.tif 000006
【図６】
0003688625.tif 000007
【図７】
0003688625.tif 000008
【図８】
0003688625.tif 000009
【図１０】
0003688625.tif 000010
【図９】
0003688625.tif 000011
【図１１】
0003688625.tif 000012
【図１２】
0003688625.tif 000013
【図１４】
0003688625.tif 000014
【図１３】
0003688625.tif 000015
【図１５】
0003688625.tif 000016
【図１６】
0003688625.tif 000017
【図１７】
0003688625.tif 000018